【事件の表示】
　特願２００６−５５３０４６「無線ネットワーク通信方法」拒絶査定不服審判事件〔平成１７年　８月２５日国際公開、ＷＯ２００５／０７９０１２、平成１９年　８月　９日国内公表、特表２００７−５２２７５７〕について、次のとおり審決する。
【結　論】
　本件審判の請求は、成り立たない。
【理　由】
第１．手続の経緯
　本願は、２００５年１月７日（パリ条約による優先権主張外国庁受理２００４年２月１１日、大韓民国）を国際出願日とする出願であって、
　原審において平成２１年２月２日付け拒絶理由通知に対し、同年６月９日に意見書および手続補正書の提出があったが、同年７月２７日付けで拒絶査定となり、これに対し同年１２月４日に審判請求がなされるとともに手続補正書の提出があったものである。
　なお、平成２３年４月２５日付けの当審からの審尋に対し、同年７月２６日に回答書の提出があった。
　
　
第２．補正却下の決定
［補正却下の決定の結論］
　　平成２１年１２月４日付けの手続補正を却下する。
　
［理由］
１．本願発明と補正後の発明
　上記手続補正（以下、「本件補正」という。）は、
補正前の平成２１年６月９日付けの手続補正書の特許請求の範囲の請求項１に記載された、
　
「　ＭＩＭＯステーションと通信を行うポイント調整子における無線ネットワーク通信方法であって、
　ＭＩＭＯステーションが競争を通じてチャネルを占有できる期間であるＭＩＭＯ競争区間に関する情報が含まれた管理フレームを生成する段階；及び　前記生成する段階により生成した管理フレームを伝送する段階
　を含み、
　前記管理フレームは、ビーコンフレームであり、
　前記ＭＩＭＯ競争区間に関する情報は、該ＭＩＭＯ競争区間に関する情報の要素を示す要素ＩＤフィールド、前記ＭＩＭＯ競争区間のサイズを示すフィールドを含むことを特徴とする無線ネットワーク通信方法。」
という発明（以下、「本願発明」という。）を、
　
「　多重アンテナを通じて相異なるデータを同時に伝送するか、或は受信するＭＩＭＯステーションと通信を行う多重のアンテナを有するポイント調整子における無線ネットワーク通信方法であって、
　ＭＩＭＯステーションが競争を通じてチャネルを占有できる期間であるＭＩＭＯ競争区間に関する情報が含まれた管理フレームを生成する段階；及び　前記生成する段階により生成した管理フレームを伝送する段階
　を含み、
　前記管理フレームは、ビーコンフレームであり、
　前記ＭＩＭＯ競争区間に関する情報は、該ＭＩＭＯ競争区間に関する情報の要素を示す要素ＩＤフィールド、前記ＭＩＭＯ競争区間のサイズを示すフィールドを含むことを特徴とする無線ネットワーク通信方法。」
という発明（以下、「補正後の発明」という。）に補正することを含むものである。
　
　なお、上記補正後の発明の冒頭の記載部分について、平成２１年１２月４日付けの本件手続補正書には、「多重アンテナを通じて相異なるデータを同時に受信するか、或は受信するＭＩＭＯステーション」とあるが、「受信する」が単に冗長な記載としても意味不明であり、審判請求書において当該箇所の補正の根拠記載とされる出願当初の明細書の段落【００１４】には、「多重アンテナを通じて相異なるデータを同時に伝送するか、或いは受信する」とあるので、前段の「受信する」は「伝送する」の誤記であると判断して上記のように認定した。
　
　
２．補正の適否
（１）新規事項の有無、補正の目的要件
　上記本件補正は、願書に最初に添付した明細書、特許請求の範囲又は図面に記載した事項の範囲内において、補正前の特許請求の範囲の請求項１に記載された、
　「ＭＩＭＯステーション」を、「多重アンテナを通じて相異なるデータを同時に伝送するか、或は受信するＭＩＭＯステーション」と構成を追加して限定し、
　同じく「ポイント調整子」を、「多重のアンテナを有するポイント調整子」と構成を追加して限定することにより特許請求の範囲を減縮するものであるから、特許法第１７条の２第３項（新規事項）及び第４項第２号（補正の目的）の規定に適合している。
　
（２）独立特許要件
　上記本件補正は特許請求の範囲の減縮を目的とするものであるから、上記補正後の発明が特許出願の際独立して特許を受けることができるものであるのかどうかについて以下に検討する。
　
［補正後の発明］
　上記「１．本願発明と補正後の発明」の項で「補正後の発明」として認定したとおりである。
　
　
［引用発明及び周知技術］
Ａ．原審の拒絶理由に引用された国際公開第０３／０５８８８１号（以下、「引用例」という。）には、「COEXISTENCE OF MODULATION SCHEMES IN A WLAN」（邦訳：ＷＬＡＮ内の変調スキームの共存）として図面とともに以下の事項が記載されている。
　
イ．「FIELD OF THE INVENTION
　
　　The invention pertains to wireless local area networks and to the coexistence of stations capable of different modulation schemes. The invention is particularly relevant to the coexistence and interoperability in a WLAN of stations capable of transmitting and receiving OFDM modulated data and stations capable of transmitting and receiving DSSS/CCK modulated data. 
　
BACKGROUND ART
　　
　　The IEEE 802. 11 WLAN standard provides a number of physical layer options in terms of data rates, modulation types and spreading spectrum technologies. An extension of the IEEE 802.11 standard, namely IEEE 802.11a, defines requirements for a physical layer operating in the 5 GHz U-NII frequency and data rates ranging from 6Mps to 54Mps. IEEE 802. 11 a defines a physical layer based on the orthogonal frequency division multiplexing (OFDM). This physical layer is similar to the one defined by the European ETSI-HIPERLAN II (European Telecommunications Standards Institute-HiperLAN2). A second extension, IEEE 802.11b, defines a set of physical layers'specifications operating in the 2.4GHz ISM frequency band up to 11 Mps. The direct sequence spread spectrum/complementary code keying (DSSS/CCK) physical layer is one of the three physical layers supported in the IEEE 802.11 standard and uses the 2.4GHz frequency band as the RF transmission media. 
　　The IEEE standard committee has created a working group TGg with the mission of developing a higher speed PHY extension to the 802.11b standard. The 802.11g standard will be compatible with the IEEE 802.11 MAC and will implement all mandatory portions of the IEEE 802.11b PHY standard. A scope of TGg is to provide a wireless LAN standard where stations communicating in OFDM modulation and legacy stations communicating in DSSS/CCK modulation coexist and communicate with each other. 」（１頁３〜２９行）
　
（イ．邦訳：技術分野
　本発明は、ワイヤレス・ローカルエリア・ネットワークと、異なる変調スキームが行える局の共存とに関する。特に、本発明はＷＬＡＮ内の、ＯＦＤＭ変調データを送受信できる局と、ＤＳＳＳ／ＣＣＫ変調データを送受信できる局との共存と相互運用性とに関する。
　
背景技術
　ＩＥＥＥ８０２．１１ＷＬＡＮ標準規格は、データ転送速度、変調のタイプ、スペクトル分散技術などについて数多くの物理層オプションを提供している。ＩＥＥＥ８０２．１１のエクステンション、すなわちＩＥＥＥ８０２．１１ａは、５ＧＨｚＵ−ＮＩＩ周波数、および６Ｍｐｓから５４Ｍｐｓの範囲のデータ転送速度で動作する物理層の要件を定めている。ＩＥＥＥ８０２．１１ａは、直交周波数分割多重（ＯＦＤＭ）に基づいて物理層を定めている。この物理層は、ヨーロッパのＥＴＳＩ−ＨＩＰＥＲＬＡＮ  ＩＩ（欧州電気通信標準化協会−ハイパーＬＡＮ２）によって規定されているものと類似する。第２のエクステンション、ＩＥＥＥ８０２．１１ｂは、２．４ＧＨｚＩＳＭ周波数帯で、最大１１Ｍｐｓで動作する物理層の規格のセットを規定している。直接スペクトラム拡散／相補符号変調（ＤＳＳＳ／ＣＣＫ）物理層は、ＩＥＥＥ８０２．１１標準規格でサポートされる３つの物理層の１つであり、ＲＦ送信媒体として、２．４ＧＨｚ周波数帯を用いる。
　ＩＥＥＥ標準化委員会は、８０２．１１ｂ標準規格の高速ＰＨＹエクステンションを開発するという任務のために作業部会ＴＧｇを作った。８０２．１１ｇ標準規格は、ＩＥＥＥ８０２．１１ＭＡＣに適合し、ＩＥＥＥ８０２．１１ｂＰＨＹ標準規格の全ての必須部分を満たすものである。ＴＧｇの範囲は、ＯＦＤＭ変調で通信する局とＤＳＳＳ／ＣＣＫ変調で通信するレガシー（ｌｅｇａｃｙ）局とが共存し、互いに通信するワイヤレスＬＡＮ標準規格を提供することである。）
　
ロ．「DETAILED DESCRIPTION 
　　An 802.11 wireless local area network 100 of the invention as shown in Fig.1 comprises an access point AP and a plurality of stations STA1-STA6. A station STA may communicate with another station directly as described in the IEEE 802.11e extension or a station STA may communicate with another station STA via the access point AP or the station STA may communicate with the access point AP only. The IEEE 802.11 specification describes two access mechanisms to the medium by the stations STA1- STA6: the distributed coordination function and the point coordination function. 
　　The point coordination function is a centrally controlled access mechanism and a point coordinator located in the access point AP controls the access of the stations STA1-STA6 to the medium. The stations STA1-STA6 request that the point coordinator or access point AP registers them on a polling list. The access point AP regularly polls the stations STA1-STA6 for traffic information and data to be transmitted while also transmitting data to the stations STA1-STA6. The access point AP begins a period of operation called the contention-free period CFP, as shown in Fig. 2, during which the point coordination function is operating. During this contention-free period CFP, access to the medium is completely controlled by the access point AP. The contention-free period CFP occurs periodically to provide a near-isochronous service to the stations STA1-STA6. The IEEE 802.11 specification also defines a contention period CP alternating with the contention-free period CFP during which the distributed coordination function rules operate and all stations may compete for access to the medium as will be explained hereinafter. 
　Fig. 2 is a timing diagram 200 showing a contention-free period CFP followed by a contention period CP. The contention-free period CFP begins when the access point AP gains access to the medium during a previous contention period CP using the distributed coordination function procedures. Upon gaining access to the medium, the access point AP transmits a beacon frame BF. The transmission of the beacon frame BF may be periodical, however the transmission of the beacon frame BF may be slightly delayed from an ideal start instant since the access point AP must compete for the medium according to the distributed coordination function rules. 」
（４頁１６行〜５頁１５行）
　
（ロ．邦訳：詳細な説明
　 図１に示す、本発明の８０２．１１ワイヤレス・ローカルエリア・ネットワーク１００は、アクセスポイントＡＰと、複数の局ＳＴＡ１−ＳＴＡ６とを備える。局ＳＴＡはＩＥＥＥ８０２．１１ｅエクステンションで述べたように直接他の局と通信してもよく、またアクセスポイントＡＰを介して他の局ＳＴＡと通信してもよく、アクセスポイントＡＰのみと通信してもよい。ＩＥＥＥ８０２．１１規格では、局ＳＴＡ１−ＳＴＡ６による通信媒体に対する２つのアクセス機構を記載している。分散制御機能と集中制御機能である。
　 集中制御機能は、中央で制御されるアクセス機構であり、アクセスポイントＡＰに配置されるポイントコーディネータが局ＳＴＡ１−ＳＴＡ６から通信媒体へのアクセスを制御する。局ＳＴＡ１−ＳＴＡ６は、ポイントコーディネータまたはアクセスポイントＡＰに対して、それらをポーリングリストに登録するように要求を出す。アクセスポイントＡＰはトラフィック情報と送信されるべきデータを得るために定期的にＳＴＡ１−ＳＴＡ６をポーリングするとともに、局ＳＴＡ１−ＳＴＡ６にデータを送信する。アクセスポイントＡＰは、図２に示すようにコンテンションフリー期間ＣＦＰと呼ばれるオペレーション期間を開始し、この期間の間、集中制御機能が動作する。このコンテンションフリー期間ＣＦＰの間、媒体へのアクセスは完全にアクセスポイントＡＰに制御される。コンテンションフリー期間ＣＦＰは周期的に現れ、局ＳＴＡ１−ＳＴＡ６にほぼ等時性のサービスを提供する。ＩＥＥＥ８０２．１１規格はまた、コンテンションフリー期間と交互に現れるコンテンション期間ＣＰを規定し、この期間内には分散制御機能ルールが働き、全ての局が後で説明するように媒体へのアクセスを争う。
　 図２は、コンテンションフリー期間ＣＦＰと、それに続くコンテンション期間ＣＰを示すタイミング図２００である。コンテンションフリー期間ＣＦＰは、アクセスポイントＡＰが分散制御機能プロシージャを用いて前のコンテンション期間ＣＰ内に媒体へのアクセスを獲得したときに始まる。媒体へのアクセスを獲得すると、アクセスポイントＡＰはビーコンフレームＢＦを送信する。ビーコンフレームＢＦの送信は周期的でもよいが、アクセスポイントＡＰ自身が分散制御機能ルールに従って媒体を争わなければならないため、理想的なスタートの瞬間から多少遅れてもよい。）
　
ハ．「　　In an embodiment of the invention, the system 100 comprises a first group of stations ST1-STA3 capable of transmitting and receiving DSSS/CCK modulated data and a second group of stations STA4-STA6 capable of transmitting and receiving OFDM modulated data. A station STA1-STA3 cannot understand OFDM modulated data received from/transmitted to one of the stations STA4-STA6. Thus, stations STA1-STA3, which cannot decode OFDM modulated data, may not be able to follow collision avoidance mechanism. 
　　In order to provide high data throughput, the system 100 allocates a period of time to OFDM data transfer only. 
　　A timing diagram of how the system 100 operates is given in Fig.3. The access point AP initiates a contention-free period CFP by transmitting a beacon frame BF to the stations STA1-STA6. The contention-free period CFP is followed by a contention period CP. The contention-free period CFP consists of a first sub-part, a CCK/OFDM contention-free period 310 and a second sub-part, an OFDM contention period 320. In this embodiment, the CCK/OFDM contention-free period 310 occurs before the OFDM contention period 320 however this order may be inversed. 
　　The location and/or duration of the OFDM contention period 320 may be transmitted in an information element of the beacon frame BF. 
　　During the period 310, the CCK stations STA1-STA3 and the OFDM stations STA4-STA6 communicate with the access point AP when polled by the access point AP as mentioned above. In this embodiment, the access point AP may have been made aware of the OFDM capability of the stations STA4-STA6. To this end, an information field indicating the OFDM capability may be exchanged when the station STA4-STA6 joins the network, e.g. during authentication. An OFDM bit of the information field may be reserved for indicating OFDM capability of the station STA4-ST6. Thus, when the access point AP polls or needs to access to a station STA during the contention-free period 310, it will access it using DSSS/CCK or OFDM modulation based on the known capabilities of the station STA. The station STA may then respond to the access point AP using the same modulation as it was addressed with. In one embodiment of the invention, the access point AP converts received OFDM (or DSSS/CCK) modulated data into DSSS/CCK (OFDM) modulated data for transmission to the receiving station based on respective capabilities of the transmitting and receiving stations. 
　　During the period 320, a CCK station STA1-STA3 communicates with the access point AP when polled by the access point AP. In this embodiment, the access point AP is configured not to poll the stations STA1-STA3 during the period 320 and as a result, the stations STA1-STA3 may not transmit data during the period 320. During this period 320, the OFDM stations STA4-STA6 communicate with each other or with the access point AP based on a distributed coordination function. Such an OFDM contention period 320 enables to load the medium with pure OFDM data traffic and thereby enables high data throughput. 
　　As mentioned above, a station STA4-STA6 gains access to the medium during the period 320 by sending a request-to-send RTS frame to the intended receiver and waits to receive a clear-to-send CTS frame from the intended receiver to start transmitting. In this embodiment, only OFDM stations may communicate during the period 320. As a result, the RTS and CTS frames are not necessarily modulated using DSSS/CCK modulation and may instead be OFDM modulated thereby enabling to reduce the data overhead and to improve the bandwidth efficiency. 
　　The contention-free period CFP is then followed by the contention period 330. 
During period 330, both the legacy devices STA1-STA3 and the OFDM devices STA4- STA6 may compete for the medium and transmit data. Alternatively, only the legacy devices STA1-STA3 may communicate during the contention period 330. 」
（６頁２０行〜８頁８行）
　
（ハ．邦訳：　本発明の１実施形態では、システム１００はＤＳＳＳ／ＣＣＫ変調データを送受信できる第１のグループの局ＳＴＡ１−ＳＴＡ３と、ＯＦＤＭ変調データを送受信できる第２のグループの局ＳＴＡ４−ＳＴＡ６とを備える。局ＳＴＡ１−ＳＴＡ３は局ＳＴＡ４−ＳＴＡ６のひとつへ／ひとつから送受信されるＯＦＤＭ変調データを理解できない。故に、ＯＦＤＭ変調データを復号できない局ＳＴＡ１−ＳＴＡ３は、衝突回避機構に従うことができない。
　高いデータスループットをもたらすために、システム１００は、ＯＦＤＭデータ伝送のみのために時間区間を割り当てる。
　システム１００がどのように動作するかのタイミング図が図３に示される。アクセスポイントＡＰは、ビーコンフレームＢＦを局ＳＴＡ１−ＳＴＡ６に送信することによってコンテンションフリー期間ＣＦＰを開始する。コンテンション期間ＣＰがコンテンションフリー期間ＣＦＰに続く。コンテンションフリー期間ＣＦＰは、第１のサブパートであるＣＣＫ／ＯＦＤＭコンテンションフリー期間３１０と、第２のサブパートであるＯＦＤＭコンテンション期間３２０とを有する。この実施形態では、ＣＣＫ／ＯＦＤＭコンテンションフリー期間３１０はＯＦＤＭコンテンション期間３２０の前にあるが、この順序は反対でもよい。
　ＯＦＤＭコンテンション期間３２０の場所および／または継続時間は、ビーコンフレームＢＦの情報要素内で送信されてもよい。
　期間３１０内では、ＣＣＫ局ＳＴＡ１−ＳＴＡ３およびＯＦＤＭ局ＳＴＡ４−ＳＴＡ６は、上述のように、アクセスポイントＡＰからポーリングされたときにアクセスポイントＡＰと通信する。この実施形態では、アクセスポイントＡＰが局ＳＴＡ４−ＳＴＡ６のＯＦＤＭ性能について知覚しているようにしてもよい。このために、局ＳＴＡ４−ＳＴＡ６がネットワークに入ったとき、例えば認証の間などにＯＦＤＭ性能を示す情報フィールドが交換されてもよい。情報フィールドのＯＦＤＭビットが、局ＳＴＡ４−ＳＴＡ６のＯＦＤＭ性能を示すために予約されていてもよい。そのようにして、コンテンションフリー期間３１０内にアクセスポイントＡＰが局ＳＴＡをポーリングしたり、アクセスする必要があるときには、局ＳＴＡの概知の性能に基づいてＤＳＳＳ／ＣＣＫまたＯＦＤＭ変調を用いてアクセスすることができる。それから次に局ＳＴＡは、自己がアドレス指定されたのと同じ変調を用いてアクセスポイントＡＰに応答してもよい。本発明の一つの実施形態では、アクセスポイントＡＰは、送受信局それぞれの性能に基づいて受信局に送信するために、受信したＯＦＤＭ（またはＤＳＳＳ／ＣＣＫ）変調データをＤＳＳＳ／ＣＣＫ（ＯＦＤＭ）変調データに変換する。
　期間３２０の間であっても、ＣＣＫ局ＳＴＡ１−ＳＴＡ３は、アクセスポイントＡＰからポーリングされたときにはアクセスポイントＡＰと通信することができる。この実施形態ではしかし、アクセスポイントＡＰは期間３２０の間、局ＳＴＡ１−ＳＴＡ３をポーリングしないように設定されており、その結果、局ＳＴＡ１−ＳＴＡ３は期間３２０の間、データを送信しない。この期間３２０の間、ＯＦＤＭ局ＳＴＡ４−ＳＴＡ６は分散制御機能に基づいて互いに、あるいはアクセスポイントＡＰと通信する。このようなＯＦＤＭコンテンション期間３２０は、純粋なＯＦＤＭデータトラフィックを通信媒体に載せることを可能にし、よって高いデータスループットを可能にする。
　上述の通り、局ＳＴＡ４−ＳＴＡ６は期間３２０の間、送信要求ＲＴＳフレームを予定された受信者に送信し、予定された受信者からの送信クリアＣＴＳフレームの受信を待って送信をスタートすることにより、媒体へのアクセスを獲得する。本実施形態では、期間３２０の間は、ＯＦＤＭ局のみが通信できる。その結果、ＲＴＳおよびＣＴＳフレームはＤＳＳＳ／ＣＣＫ変調を用いて変調する必要がなく、その代わりにＯＦＤＭ変調されることによってデータオーバヘッドを削減し、帯域幅効率を向上させることができる。
　次にコンテンションフリー期間ＣＦＰの後に、コンテンション期間３３０が続く。
期間３３０の間、レガシー装置ＳＴＡ１−ＳＴＡ３とＯＦＤＭ装置ＳＴＡ４−ＳＴＡ６の両方が媒体を争い、データを送信する。その代わりに、コンテンション期間３３０の間、レガシー装置ＳＴＡ１−ＳＴＡ３のみが通信してもよい。）
　
ニ．「　　　　　　　CLAIMS
　
What is claimed is: 
　1.　A system comprising:
　　　a first station capable of transmitting and receiving data modulated using a first modulation scheme;
　　　a second station capable of transmitting and receiving data modulated using a second modulation scheme;
　　　an access point for communicating with the first and the second stations;
　　　and wherein,
　　　the access point transmits a beacon frame indicating a beginning of a contention-free period followed by a contention period, and, the contention-free period comprises a sub-contention period during which the second station is enabled to transmit data modulated according to the second modulation scheme following a distributed coordination function access mechanism. 
　
　　（・・・中略・・・）
　
　12.　 An access point for communicating over a local area network with a first station capable of transmitting and receiving data modulated according to a first modulation scheme and with a second station capable of transmitting and receiving data modulated according to a second modulation scheme, wherein the access point transmits a beacon frame indicating a beginning of a contention-free period followed by a contention period, and, the contention-free period comprises a sub-contention period during which the second station is enabled to transmit data modulated according to the second modulation scheme following a distributed coordination function access mechanism. 」
　
（ニ．邦訳：　　　特許請求の範囲
　
　１．第１の変調スキームを用いて変調されたデータを送受信できる第１の局と、
　　　第２の変調スキームを用いて変調されたデータを送受信できる第２の局と、
　　　前記第１および第２の局と通信するためのアクセスポイントと、
　　　を備え、
　　　前記アクセスポイントは、コンテンションフリー期間の始まりを示すビーコンフレームを送信し、前記コンテンションフリー期間の後にはコンテンション期間が続き、前記コンテンションフリー期間は、前記第２の局がイネーブルされ、分散制御機能アクセス機構に従って前記第２の変調スキームにより変調されたデータを送信するサブコンテンション期間を備えることを特徴とする、システム。
　
　　（・・・中略・・・）
　
　１２．　第１の変調スキームに従って変調されたデータを送受信できる第１の局と、第２の変調スキームに従って変調されたデータを送受信できる第２の局とに、ローカルエリア・ネットワーク上で通信できるアクセスポイントであって、
  前記アクセスポイントはコンテンションフリー期間の始まりを示すビーコンフレームを送信し、前記コンテンションフリー期間の後にはコンテンション期間が続き、前記コンテンションフリー期間は、前記第２の局がイネーブルされ、分散制御機能アクセス機構に従って前記第２の変調スキームにより変調されたデータを送信するサブコンテンション期間を備えることを特徴とする、アクセスポイント。）
　
　
　上記引用例の記載及び関連する図面ならびにこの分野における技術常識を考慮すると、
　まず、上記イ．、ニ．図１にあるように、引用例には「第１の変調スキームに従って変調されたデータを送受信できる第１の局と、第２の変調スキームに従って変調されたデータを送受信できる第２の局」とに通信できる「アクセスポイント」が「ローカルエリア・ネットワーク」上において行う通信方法が開示されており、
　例えば上記イ．冒頭に「ワイヤレス・ローカルエリア・ネットワーク」（wireless local area network）とあるように、「ローカルエリア・ネットワーク」は『無線ネットワーク』である。
　また、引用発明の「アクセスポイント」は「ビーコンフレーム」を送信するものであって、
　上記ハ．（７頁５〜６行）に、「ＯＦＤＭコンテンション期間３２０の場所および／または継続時間は、ビーコンフレームＢＦの情報要素内で送信されてもよい。」とあって、この「ＯＦＤＭコンテンション期間３２０」は上記ニ．の「サブコンテンション期間」であり、「ビーコンフレーム」を送信するためには、そのような「ビーコンフレーム」を生成するのは当然のことであるから、引用例記載の「アクセスポイント」は、『サブコンテンション期間の場所および／または継続時間が情報要素内に含まれたビーコンフレーム』を生成し、送信するものである。
　そして、上記ニ．には「前記第２の局がイネーブルされ、分散制御機能アクセス機構に従って前記第２の変調スキームにより変調されたデータを送信するサブコンテンション期間」とあるから、『前記サブコンテンション期間は、前記第２の局がイネーブルされ、分散制御機能アクセス機構に従って前記第２の変調スキームにより変調されたデータを送信する』期間である。
　
　したがって、上記引用例には以下の発明（以下、「引用発明」という。）が開示されている。
　
（引用発明）
「第１の変調スキームに従って変調されたデータを送受信できる第１の局と、第２の変調スキームに従って変調されたデータを送受信できる第２の局とに、無線ネットワーク上で通信できるアクセスポイントの通信方法であって、
  前記アクセスポイントは
サブコンテンション期間の場所および／または継続時間が情報要素内に含まれたビーコンフレームを生成し、
該ビーコンフレームを送信し、
前記サブコンテンション期間は、前記第２の局がイネーブルされ、分散制御機能アクセス機構に従って前記第２の変調スキームにより変調されたデータを送信する、
アクセスポイントの通信方法。」
　
　
　［対比・判断］
　補正後の発明と引用発明を対比する。
　
　まず、引用発明の「第２の変調スキームに従って変調されたデータを送受信できる第２の局」と、補正後の発明の「多重アンテナを通じて相異なるデータを同時に受信するか、或は受信するＭＩＭＯステーション」を対比すると、引用発明の「第２の局」（second station）も、無線ネットワーク上で通信を行う通信局（通信ステーション）である点において補正後の発明の「ＭＩＭＯステーション」と同様であるから、両者は「ステーション」の点で一致する。
　
　つぎに、引用発明の「アクセスポイント」と、補正後の発明の「ポイント調整子」を対比すると、
　引用例の上記ロ．（４頁２５行）に「アクセスポイントＡＰに配置されるポイントコーディネータ」とあるように、引用発明の「アクセスポイント」は「ポイントコーディネータ」（ポイント調整子）を備えるものであって、
　補正後の発明の「ポイント調整子」とは、本願明細書【０００７】などにある「ポイントコーディネーター」のことであって、本願明細書【０００８】の「ポイントコーディネーターがビーコンを伝送する」なる記載と本願明細書【０００４】の「アクセスポイント（Ａｃｃｅｓｓ　Ｐｏｉｎｔ；ＡＰ）は、ビーコンフレームの伝送を担当する。」との記載を参照すれば、補正後の発明の「ポイント調整子」も「アクセスポイント」に設けられる機能ないし装置であるから、両者に実質的な差はない。
　
　また、引用発明の「無線ネットワーク上で通信できるアクセスポイントの通信方法」とは「無線ネットワーク」上での通信方法であるから「無線ネットワーク通信方法」であり、「アクセスポイント」（ポイント調整子）における通信方法であるから、補正後の発明の「ポイント調整子における無線ネットワーク通信方法」と一致する。
　
　また、引用発明の「サブコンテンション期間」は、「前記第２の局がイネーブルされ、分散制御機能アクセス機構に従って前記第２の変調スキームにより変調されたデータを送信する」期間であって、
　ここで「分散制御機能アクセス機構」とは、引用例の上記ロ．（５頁５〜６行）に「分散制御機能ルールが働き、全ての局が・・・媒体へのアクセスを争う。」とあるから、『競争』を通じて「媒体」（チャネル）へのアクセスを争う機構であり、結果としてチャネルを占有できるものであるから、結局、引用発明の「サブコンテンション期間」は、補正後の発明の『ステーションが競争を通じてチャネルを占有できる期間である競争区間』に相当する。
　
　また、引用発明の「サブコンテンション期間の場所および／または継続時間」は、上記認定を踏まえれば『ステーションが競争を通じてチャネルを占有できる期間である競争区間に関する情報』であり、
　この情報が情報要素として含まれて生成される引用発明の「ビーコンフレーム」は、通信の管理のための『管理フレーム』の一種であり、
　引用発明における「ビーコンフレーム」の「生成」は、方法のステップとして『管理フレームを生成する段階』であり、
　引用発明における「ビーコンフレーム」の「送信」は、方法のステップとして『前記生成する段階により生成した管理フレームを伝送する段階』である。
　
　したがって、両者は以下の点で一致し、また相違している。
　
（一致点）
「　ステーションと通信を行うポイント調整子における無線ネットワーク通信方法であって、
　ステーションが競争を通じてチャネルを占有できる期間である競争区間に関する情報が含まれた管理フレームを生成する段階；及び
　前記生成する段階により生成した管理フレームを伝送する段階
　を含み、
　前記管理フレームは、ビーコンフレームである無線ネットワーク通信方法。」
　
（相違点１）
　「ステーション」が、補正後の発明では「多重アンテナを通じて相異なるデータを同時に伝送するか、或は受信するＭＩＭＯステーション」ないし「ＭＩＭＯステーション」であるのに対し、引用発明では「第２の変調スキームに従って変調されたデータを送受信できる第２の局」ないし「第２の局」である点。
　
（相違点２）
　「ポイント調整子」が、補正後の発明では「多重のアンテナを有するポイント調整子」であるのに対し、引用発明では単に「アクセスポイント」であって、「多重のアンテナを有する」との限定がない点。
　
（相違点３）
　「競争区間」が、補正後の発明では「ＭＩＭＯ競争区間」であるのに対し、引用発明では「サブコンテンション期間」である点、および、
　「競争区間に関する情報」の構成が、補正後の発明では「前記ＭＩＭＯ競争区間に関する情報は、該ＭＩＭＯ競争区間に関する情報の要素を示す要素ＩＤフィールド、前記ＭＩＭＯ競争区間のサイズを示すフィールドを含む」のに対し、引用発明はその様なフィールド構成を備えていない点、
。
　
　そこで、まず、上記相違点１の「ＭＩＭＯステーション」について検討するに、
　そもそも無線ネットワークに於いて様々な通信方式が使用されることは、引用例の上記イ．にも示唆のあることであるが、各通信ステーションが多数のアンテナを有して送受信を行う多重入力／多重出力（ＭＩＭＯ）の無線通信方式は、例えば
　周知例１：米国特許出願公開第２００３／０１８５２４１号明細書（フロントページ参照）、
　周知例２：国際公開第０３／００１７０２号パンフレット（１頁、ＦＩＧ．１参照）、
　周知例３：特開２００２−４４０５１号公報（【００１４】、図４参照）
などにあるように、本願出願前既に周知の技術であって、
　このようなＭＩＭＯシステムにおいて、送受の多数のアンテナ（多重アンテナ）間に構成される多数の無線通信路により相異なるデータを同時に並列的に送受信することにより、通信の効率を向上させ得ることも同様に知られたことである。
　したがって、引用発明の「第２の局」（ステーション）に、周知のＭＩＭＯ技術を適用し、「多重アンテナを通じて相異なるデータを同時に伝送するか、或は受信するＭＩＭＯステーション」ないし「ＭＩＭＯステーション」とすること（相違点１）は、当業者であれば容易になし得たことに過ぎない。
　なお、引用発明の「第２の局」は、引用例の上記ハ．冒頭の記載などによれば、「ＯＦＤＭ変調データを送受信できる」ものであるが、このような「ＯＦＤＭ変調」方式とＭＩＭＯ技術の親和性が高いことも、前記周知例２，３に「ＭＩＭＯＯＦＤＭシステム」などとして示唆されることであって、この観点からしても相違点１は格別のものではない。
　
　つぎに、相違点２の「多重のアンテナを有するポイント調整子」について検討する。
　上記相違点１の検討で述べたように引用発明にＭＩＭＯ技術を適用した場合に、「ＭＩＭＯステーション」の通信の相手方となる「アクセスポイント」（ポイント調整子）もＭＩＭＯ技術に対応したものとする必要があるのは自明なことであって、「アクセスポイント」がＭＩＭＯ技術に対応した「多重のアンテナを有するポイント調整子」となるのは当然のことである。
　したがって、相違点２も格別のものではない。
　
　最後に、相違点３の「ＭＩＭＯ競争区間」および「競争区間に関する情報」のフィールド構成について検討する。
　まず、「ＭＩＭＯ競争区間」については、上記相違点１，２の検討で述べたように引用発明にＭＩＭＯ技術を適用した場合に、その「サブコンテンション期間」（競争区間）が「第２の局」（ＭＩＭＯステーション）のための競争区間になるのであるから、これを「ＭＩＭＯ競争区間」と称することができるものであり、格別のことではない。
　また、「競争区間に関する情報」のフィールド構成については、
　引用発明の「ビーコンフレーム」（管理フレーム）には、「競争区間に関する情報」として「サブコンテンション期間（ＭＩＭＯ競争区間）の場所および／または継続時間」がその「情報要素」内に含まれたものであるが、
　複数の情報要素がある場合に、それらを区別・識別するための記号や番号のような「ＩＤ」を付与することは慣用手段に過ぎず、
　「サブコンテンション期間」（競争区間）の「継続時間」とは、「ＭＩＭＯ競争区間」の長さ、すなわち「サイズ」と言うことができるものであるから、
　これら「ＩＤ」と「サイズ」の情報を「情報要素」内に格納する部分を「フィールド」として、「前記ＭＩＭＯ競争区間に関する情報は、該ＭＩＭＯ競争区間に関する情報の要素を示す要素ＩＤフィールド、前記ＭＩＭＯ競争区間のサイズを示すフィールドを含む」ものとすることも当業者であれば適宜になし得る程度のことであって、結局全体としての相違点３も格別のことではない。
　
　そして、補正後の発明が奏する効果も、前記引用発明及び周知技術から当業者が容易に予測出来る範囲内のものである。
　また、当審の審尋に対する回答書を参酌しても、上記認定を覆すに足りるものは見あたらない。
　
　よって、補正後の発明は引用発明及び周知技術に基づいて当業者が容易に発明できたものであるから、特許法第２９条第２項の規定により、特許出願の際独立して特許を受けることができないものである。
　
　
３．結語
　以上のとおり、本件補正は、補正後の発明が特許出願の際独立して特許を受けることができないものであるから、
平成１８年法律第５５号改正附則第３条第１項によりなお従前の例によるとされる同法による改正前の特許法第１７条の２第５項において準用する同法第１２６条第５項の規定に適合していない。
　したがって、本件補正は、特許法第１５９条第１項において準用する同法第５３条第１項の規定により却下すべきものである。
　
　
第３．本願発明について
１．本願発明
　平成２１年１２月４日付けの手続補正は上記のとおり却下されたので、本願発明は上記「第２．補正却下の決定」の項中の「１．本願発明と補正後の発明」の項で「本願発明」として認定したとおりである。
　
２．引用発明及び周知技術
　引用発明及び周知技術は、上記「第２．補正却下の決定」の項中の「（２）独立特許要件」の項中の［引用発明及び周知技術］で認定したとおりである。
　
３．対比・判断
　本願発明は上記補正後の発明から本件補正に係る限定を省いたものである。
　そうすると、本願発明の構成に補正に係る限定を付加した補正後の発明が、上記「第２．補正却下の決定」の項中の「（２）独立特許要件」の項で検討したとおり、引用発明及び周知技術に基づいて容易に発明できたものであるから、本願発明も同様の理由により、容易に発明できたものである。
　
４．むすび
　以上のとおり、本願発明は、上記引用発明及び周知技術に基づいて当業者が容易に発明をすることができたものと認められるから、特許法第２９条第２項の規定により特許を受けることができない。
　
　よって、結論のとおり審決する。